(57)【要約】【課題】製造コストが安価であるとともに、設置態様のバリエーションが豊富で、設置場所の構造に拘わらず容易に取り付ることが可能なロールカーテンを提供する。【解決手段】ロールカーテン１は、カーテン２を捲回可能に保持したカーテン本体３、２つの固着部材１０，１０、長手方向に伸縮自在に形成された押止棒状部材４等によって構成されている。カーテン本体３の支持フレーム７には、長手方向に沿ってガイドレール（ガイド片８，８）が設けられており、当該ガイドレールに、固着部材１０，１０がスライド可能に保持されている。そして、押止棒状部材４は、それらの固着部材１０，１０に固着された状態で、支持フレーム７に取り付けられている。【選択図】図１
2010203046.tif 000002
【特許請求の範囲】
【請求項１】
棒状の軸部材と、その軸部材を回転可能に保持する支持フレームと、長尺なシート状に形成されており前記軸部材に片端縁を固着させた状態で捲回可能に保持されたカーテンとからなるロールカーテンであって、
前記支持フレームの長手方向に沿ってガイドレールが設けられており、そのガイドレールに、複数の固着部材がスライド可能に保持されているとともに、
長手方向に伸縮自在に形成された押止棒状部材が、前記固着部材に固着された状態で、前記支持フレームに取り付けられており、押止棒状部材の両端縁が、支持フレームの両端よりも外側に位置していることを特徴とするロールカーテン。
【請求項２】
前記押止棒状部材の両縁に、それぞれ、平坦な鉛直面を有する押止体が取り付けられており、それらの押止体が、それぞれ、前記各固着部材に固着されていることを特徴とする請求項１に記載のロールカーテン。
【請求項３】
前記各固着部材に、ネジ孔が穿設されており、それらのネジ孔を利用して、前記各押止体が、前記各固着部材に螺着されていることを特徴とする請求項１、または請求項２に記載のロールカーテン。
【発明の詳細な説明】
【技術分野】
【０００１】
本発明は、シート状のカーテンを支持フレームに対して捲回・引き出し自在に設けたロールカーテン関するものである。
【背景技術】
【０００２】
窓の遮光、室内の目隠しや仕切り等の用途に用いるカーテンとして、長尺状の支持フレームに、円柱状の軸部材が回転可能に保持されており、当該軸部材に、矩形でシート状のカーテンが捲回・引き出し自在に固着されたもの（所謂、ロールカーテン）が知られている。また、そのようなロールカーテンの中には、特許文献１の如く、軸部材の左右両端に吸盤状（円錐状）のゴム部材を設けるとともに、それらのゴム部材の内の片方を、軸部材の長手方向に沿って移動可能に構成したものがある。かかるロールカーテンによれば、対向した壁面の間において、移動可能なゴム部材を軸部材の長手方向に沿って外方向に突出させ、軸部材の左右両端のゴム部材により対向した壁面を押止することによって、窓枠や壁面等に傷を付けることなく設置することが可能となる。
【先行技術文献】
【特許文献】
【０００３】
【特許文献１】実開平６−５７２８０号公報
【発明の概要】
【発明が解決しようとする課題】
【０００４】
しかしながら、上記ロールカーテンは、片方のゴム部材を移動可能にするための構造が複雑であるため、安価に製造することができなかった。また、ゴム部材以外の設置機構を有していないため、壁面が対向してない場所には設置することができなかった。
【０００５】
本発明の目的は、上記従来のロールカーテンが有する問題点を解消し、製造コストが安価であるとともに、設置態様のバリエーションが豊富で、設置場所の構造に拘わらず容易に取り付ることが可能なロールカーテンを提供することにある。
【課題を解決するための手段】
【０００６】
本発明の内、請求項１に記載された発明は、棒状の軸部材と、その軸部材を回転可能に保持する支持フレームと、長尺なシート状に形成されており前記軸部材に片端縁を固着させた状態で捲回可能に保持されたカーテン本体とからなるロールカーテンであって、前記支持フレームの長手方向に沿ってガイドレールが設けられており、そのガイドレールに、複数の固着部材がスライド可能に保持されているとともに、長手方向に伸縮自在に形成された押止棒状部材が、前記外筒部材および前記内筒部材を、それぞれ前記固着部材に固着させた状態で、前記支持フレームに取り付けられていることを特徴とするものである。
【０００７】
請求項２に記載された発明は、請求項１に記載された発明において、前記押止棒状部材の両縁に、それぞれ、平坦な鉛直面を有する押止体が取り付けられており、それらの押止体が、それぞれ、前記各固着部材に固着されていることを特徴とするものである。
【０００８】
請求項３に記載された発明は、請求項１、または請求項２に記載された発明において、前記各固着部材に、ネジ孔が穿設されており、それらのネジ孔を利用して、前記各押止体が、前記各固着部材に螺着されていることを特徴とするものである。
【発明の効果】
【０００９】
請求項１に記載のロールカーテンは、支持フレームにスライド可能に設けられた固着部材を介して、伸縮自在な押止棒状部材を取り付けたものであり、構造がシンプルであるため、安価に製造することができる。また、押止棒状部材を利用して、対向する壁面の間に取り付けることができるのみならず、押止棒状部材を取り外した状態で、固着部材のみを利用して、フラットな壁面にも取り付けることができるので、設置態様のバリエーションが豊富であり、設置場所の構造に拘わらず容易に取り付けることができる。
【００１０】
請求項２に記載のロールカーテンは、押止棒状部材の両端の押止体を利用して、対向した壁面の間に強固に設置することができる。また、支持フレームに押止棒状部材を設置するための構造が非常にシンプルであるので、きわめて安価に製造することができる。
【００１１】
請求項３に記載のロールカーテンは、固着部材に穿設されたネジ孔を利用して、押止棒状部材をカーテン本体（支持フレーム）に容易に組み付けることができる。さらに、押止棒状部材を取り外した状態においては、ネジ孔を利用して固着部材を壁面に螺着するだけで、非常に容易に取り付けることができる。
【図面の簡単な説明】
【００１２】
【図１】ロールカーテンを示す説明図（斜視図）である。
【図２】ロールカーテンを示す説明図（正面図）である。
【図３】図２におけるＡ−Ａ線断面を示す説明図である。
【図４】固着部材１０を示す説明図である（（ａ）は正面図であり、（ｂ）は左側面図であり、（ｃ）は底面図である）。
【図５】押止体の変更例を示す説明図である（（ａ）は正面図であり、（ｂ）は平面図である）。
【発明を実施するための形態】
【００１３】
以下、本発明に係るロールカーテンについて、図面に基づいて詳細に説明する。図１は、ロールカーテンの斜視図であり、図２は、ロールカーテンの正面図である。また、図３は、図２におけるＡ−Ａ線断面を示したものである。ロールカーテン１は、カーテン２を捲回可能に保持したカーテン本体３、対向する壁の間にカーテン本体３を固定させるための押止棒状部材４、カーテン本体３に押止棒状部材４を固着させるための固着部材１０，１０等によって構成されている。
【００１４】
カーテン本体３は、長尺状の支持フレーム７の両端に、平板状（舌片状）の保持部材６，６が、互いに平行に対峙するように設けられており、それらの保持部材６，６に、円柱状の軸部材５が、回転可能に保持された状態になっている。そして、当該軸部材５には、合成樹脂等によって縦長な矩形のシート状に形成されたカーテン２が、上端縁を固着させた状態で捲回可能に保持されている。また、カーテン２の下端縁には、円柱状の錘部材２７が固着されている。
【００１５】
また、支持フレーム７は、長尺な帯状の金属板の両端縁（前端縁および後端縁）を同一方向に垂直に折り曲げることによって形成されており、ガイドレールとして機能する一対のガイド片８，８が、対向するように立設された状態になっている（図３参照）。さらに、各ガイド片８，８の先端は、それぞれ、内側へ折り曲げられており、係合突起９，９が形成された状態になっている。
【００１６】
上記の如く構成されたカーテン本体３は、軸部材５に付設された付勢部材（図示せず）およびストッパ機構（図示せず）の機能によって、カーテン２を任意の長さまで引き出した状態で固定させることができるようになっている。また、そのように固定させたカーテンを、わずかに引き出すことによって、軸部材５の周りに捲回させることができるようになっている。
【００１７】
一方、図４は、固着部材１０を示したものであり、固着部材１０は、枠体１１、係止体１２、コイルバネ１３によって構成されている。枠体１１は、金属板を折り曲げることによって形成されており、天板１４の左右両端に、それぞれ、保持板１５，１５が、下向きに突出するように設けられている。各保持板１５，１５の先端（下端）は、互いに内向きに折り曲げられており、係止片１６が形成された状態になっている。さらに、各保持板１５，１５の中央より前側には、それぞれ、矩形の係合孔１８が穿設されており、各保持板１５，１５の後端には、ぞれぞれ、鉤状の係止突起１７が設けられている。また、天板１４は、略中央に楕円形のネジ孔１９が穿設されているとともに、後端縁を下向きに折り曲げることによってバネ固定片２０が設けられている。
【００１８】
また、係止体１２は、合成樹脂によって扁平な直方体状に形成されており、前端縁際の下方には、係止突起２１が設けられている。そして、当該係止突起２１の上方には、押込突片２２が前方へ突出するように設けられている。一方、後端際には、コイルバネ１３を格納するためのホール２３が穿設されている。加えて、係止体１２の左右の側面には、弾性係着片２５，２５が設けられており、それらの弾性係着片２５，２５の先端には、それぞれ、鉤状の係着突起２６が設けられている。かかる係止体１２は、ホール２３の内部にコイルバネ１３を挿入させた状態で、枠体１１の保持板１５，１５の間に嵌め込まれて、左右の係着突起２６，２６が、それぞれ、係合孔１８，１８内に遊嵌されることにより、コイルバネ１３によって前方へ付勢された状態で枠体１１から抜けないようになっている。そして、押込突片２２をプッシュ操作することによって、コイルバネ１３の付勢力に抗して係止体１２を枠体１１の奥方へ押し込むことができるようになっている。
【００１９】
上記の如く構成された固着部材１０は、図３の如く、前側の係止突起２１および後側の係止突起１７，１７を、カーテン本体３の支持フレーム７のガイド片８，８（係合突起９，９）に係合させた状態で、支持フレーム７に固定されており、押込突片２２をプッシュすることによって、左右方向（支持フレーム７の長手方向）における位置を変えたり、支持フレーム７から取り外したりすることができるようになっている。
【００２０】
一方、押止棒状部材４は、図２の如く、外筒部材３２、内筒部材３３、固定機構３１、押止体３４，３５、押止力調節筒３６等によって構成されている。そして、外筒部材３２の端縁に固定機構３１が固着されており、当該外筒部材３２の内部に、外筒部材３２より小径の内筒部材３３が挿入された状態になっている。
【００２１】
また、外筒部材３２の右側の端縁には、押止体３４が固着されている。かかる押止体３４は、硬質の合成樹脂によって形成されており、外筒部材３２の外径と略同一の内径を有する筒状部４１の外側に、横長な直方体状の押止部４２が一体的に設けられている。当該押止部４２の外端面は、外筒部材３２の断面（円形の断面）より大きな面積を有しており、当該外端面には、軟質の合成樹脂によって扁平な矩形状に形成された滑り止めシート４３が当着されている。そして、押止体３４は、筒状部４１を外筒部材３２の外端縁に外嵌させた状態で、外筒部材３２に固着されている。
【００２２】
一方、内筒部材３３の端縁に設けられた押止体３５も、押止体３４と同様に、硬質の合成樹脂によって形成されており、筒状部４１の外側に、横長な直方体状の押止部４２が一体的に設けられている。当該押止部４２の外端面は、押止体３４と同様に、外筒部材３２の断面より大きな面積を有しており、当該外端面には、滑り止めシート４３が当着されている。また、筒状部４１の内側には、外筒部材３２の外径と略同一の内径を有する押止力調節筒３６が、押止体３５の内側に回転自在に設けられている。そして、押止体３５は、押止力調節筒３６の内側に形成されたネジ山を、内筒部材３３の外端縁際の外周に形成されたネジ山（図示せず）に螺合させることによって、所定の長さだけ左右に移動可能に取り付けられている。
【００２３】
かかる押止棒状部材４は、内筒部材３３を所定の長さだけ外筒部材３２から引き出した状態で、固定機構３１の固定ネジ３７を所定の方向に回転操作することにより、内筒部材３３を外筒部材３２に対して固定することができるようになっている。また、固定機構３１の固定ネジ３７を逆方向に回転操作し、内筒部材３３の外筒部材３２に対する固定状態を解除し、内筒部材３３を外筒部材３２に対して引き出したり押し込んだりすることによって、長さを自由に調節することができるようになっている。
【００２４】
上記の如く構成された押止棒状部材４は、各固着部材１０，１０のネジ孔１９を利用して、ネジ２８によって、各押止体３４，３５の下面が、各固着部材１０，１０に螺着されている。そして、それらの固着部材１０，１０が、支持フレーム７のガイドレール（ガイド片８，８）に係止されることによって、カーテン本体３に取り付けられている。
【００２５】
＜ロールカーテンの取付方法＞
上記の如く構成されたロールカーテン１は、異なる態様で壁面に取り付けることができる。すなわち、壁面が対向した場所にロールカーテン１を設置する場合には、固着部材１０，１０の押込突片２２をプッシュすることにより、固着部材１０，１０を支持フレーム７のガイドレール（ガイド片８，８）から取り外して、押止棒状部材４をカーテン本体３と分離する。そして、対向する壁面の間に押止棒状部材４を配置させ、内筒部材３３を適当な長さだけ外筒部材３２から引き出し、押止体３４，３５の外面（滑り止めシート４３，４３）を、それぞれ壁面に当着させ、その状態で、固定ネジ３７を所定の方向に回転させ、内筒部材３３を外筒部材３３に対して固定する。さらに、その状態で、押止力調節筒３６を所定の方向に回転させ（軸方向の周りに回転させ）、内筒部材３３に対して押止力調節筒３６を外側へ移動させ、壁面に対する押止力を高めることによって、押止棒状部材４を対向する壁面の間に強固に固着させる。しかる後、押止体３４，３５に螺着された固着部材１０，１０の押込突片２２をプッシュ操作し、各固着部材１０，１０を支持フレーム７のガイドレール（ガイド片８，８）に係止させることによって、押止棒状部材４をカーテン本体３に取り付ける。
【００２６】
また、ロールカーテン１をフラットな壁面に取り付ける場合には、ドライバー等の工具を利用して、押止棒状部材４の押止体３４，３５と各固着部材１０，１０との螺合状態を解除することによって、押止棒状部材４とカーテン本体３とを分離する。そして、各固着部材１０，１０のネジ孔１９，１９を利用して、各固着部材１０，１０を直接に壁面に螺着させる（各固着部材１０，１０が所定の距離を隔てて水平に配置されるように螺着させる）。しかる後、壁面に螺着された固着部材１０，１０の押込突片２２をプッシュ操作し、各固着部材１０，１０を、支持フレーム７のガイドレール（ガイド片８，８）に係止させることによって、カーテン本体３に取り付ける。
【００２７】
＜ロールカーテンの効果＞
ロールカーテン１は、上記の如く、支持フレーム７の長手方向に沿ってガイドレール（ガイド片８，８）が設けられており、そのガイドレールに、２つの固着部材１０，１０がスライド可能に保持されているとともに、長手方向に伸縮自在に形成された押止棒状部材４が、固着部材１０，１０に固着された状態で、支持フレーム７に取り付けられており、構造がシンプルであるため、安価に製造することができる。また、押止棒状部材４を利用して、対向する壁面の間に取り付けることができるのみならず、押止棒状部材４を取り外した状態で、固着部材１０，１０のみを利用して、フラットな壁面にも取り付けることができるので、設置態様のバリエーションが豊富であり、設置場所の構造に拘わらず容易に取り付けることができる。
【００２８】
また、ロールカーテン１は、押止棒状部材４の両縁に、それぞれ、平坦な鉛直面を有する押止体３４，３５が取り付けられており、それらの押止体３４，３５が、それぞれ、各固着部材１０，１０に固着されているため、当該押止体３４，３５を利用して、対向した壁面の間に強固に設置することができる。また、支持フレーム７に押止棒状部材４を設置するための構造が非常にシンプルであるので、きわめて安価に製造することができる。
【００２９】
さらに、ロールカーテン１は、各固着部材１０，１０に、ネジ孔１９，１９が穿設されており、それらのネジ孔１９，１９を利用して、各押止体３４，３５を、各固着部材１０，１０に螺着するものであるため、押止棒状部材４をカーテン本体３（支持フレーム７）に容易に組み付けることができる。さらに、押止棒状部材４を取り外した状態においては、ネジ孔１９，１９を利用して各固着部材１０，１０を壁面に螺着するだけで、非常に容易に取り付けることができる。
【００３０】
なお、本発明に係るロールカーテンの構成は、上記実施形態の態様に何ら限定されるものではなく、カーテン本体（軸部材、支持フレーム、ガイドレール等）、固着部材（枠体、係止体等）、押止棒状部材等の材質、形状、構造等の構成を必要に応じて適宜変更することができる。
【００３１】
たとえば、本発明に係るロールカーテンは、上記実施形態の如く、押止棒状部材の左右両端に設けた押止体を固着部材に固着させるものに限定されず、押止体の内側に固着部材と固着させるための部材を別個に設けることも可能である。また、ロールカーテンは、上記実施形態の如く、押止棒状部材（押止体）と固着部材とを螺着することによって両者を一体的に組み付けるものに限定されず、押止棒状部材（あるいは固着部材）に設けた係合体を固着部材（あるいは押止棒状部材）に設けた被係合体に係合させることによって両者を一体的に組み付けるものでも良い。加えて、押止棒状部材は、上記実施形態の如く、内筒部材に対する押止力調節筒の螺合度合いを変化させることによって壁面に対する押止力を調整するものに限定されず、内蔵したコイルバネ等により軸方向に沿った外向きの付勢力を作用させるように構成されたもの等でも良い。
【００３２】
また、ロールカーテンは、上記実施形態の如く、左右の押止体の外側の端面を鉛直面としたものに限定されず、押止体の外側の端面を傾斜面とすることも可能である。図５は、そのような変更例の一例を示したものであり、押止体３４’（３５’）は、固着部材１０と固着させるための固着部３８と、当該固着部３８に対して傾動する押止傾動部３９とに分割されており、ピン４０によって固着部３８の外側の端縁際に押止傾動部３９が回動可能に枢着されている。そして、その押止傾動部３９の外端面に、軟質の合成樹脂製の滑り止めシート４３が当着されている。かかる構成を採用した場合には、ロールカーテンは、２つの鉛直な壁面が平行に対峙する場所のみならず、２つの壁面が所定の角度を成して傾斜状に対峙する場所等（たとえば、自動車内）にも設置することが可能となる。
【符号の説明】
【００３３】
１・・ロールカーテン
２・・カーテン
４・・押止棒状部材
５・・軸部材
７・・支持フレーム
８・・ガイド片（ガイドレール）
１０・・固着部材
１９・・ネジ孔
３４，３４’，３５，３５’・・押止体
【図１】
2010203046.tif 000003
【図２】
2010203046.tif 000004
【図３】
2010203046.tif 000005
【図４】
2010203046.tif 000006
【図５】
2010203046.tif 000007